(57)【要約】【課題】ユーザにとって有用な情報が紹介されたシーンが、ユーザが気づく前に自動的に削除されるのを回避する。【解決手段】実施形態による方法は、記録されてから第１基準に従い自動的に削除される複数の番組の複数のシーンに関する情報であって、シーンで紹介される商品、サービス、または地域の少なくともいずれかの情報を受信し、商品、サービス、または地域の少なくともいずれか１つを指定するための第１操作を受け付け、第１情報を用いて、複数の番組の複数のシーンのうち、第１操作により指定された商品、サービス、または地域を紹介する複数の第１シーンを、第１基準に従い自動的に削除される対象から除外するための第１指示を出力する。【選択図】図１
2016063432.tif 000002
【特許請求の範囲】
【請求項１】
記録されてから第１基準に従い自動的に削除される複数の番組の複数のシーンに関する情報であって、シーンで紹介される商品、サービス、または地域の少なくともいずれかの情報を受信し、
商品、サービス、または地域の少なくともいずれか１つを指定するための第１操作を受け付け、
前記第１情報を用いて、前記複数の番組の複数のシーンのうち、前記第１操作により指定された商品、サービス、または地域を紹介する複数の第１シーンを、前記第１基準に従い自動的に削除される対象から除外するための第１指示を出力する、方法。
【請求項２】
前記複数の番組は、複数のチャンネルの番組を同時に録画可能な録画装置によって記録された番組であって、録画されてから経過した時間が第１期間を超えた場合に自動的に削除されるものであり、
前記第１指示は、前記録画装置に出力される、請求項１に記載の方法。
【請求項３】
商品、サービス、または地域の少なくともいずれか１つを指定するための第２操作を受け付け、
指定された商品、サービス、または地域が紹介された複数の第２シーンの情報を表示部上に表示する、請求項１または２に記載の方法。
【請求項４】
前記第１指示を出力した後に、前記複数の第１シーンの少なくとも１つが視聴された場合に、視聴済みのシーンを、前記第１基準に従い自動的に削除される対象に設定するための第２指示を出力する、請求項１〜３のいずれか１項に記載の方法。
【請求項５】
前記第１指示を出力した後に、前記第１操作により指定された商品、サービス、または地域の少なくとも１つが指定の対象から除外された場合に、前記複数の第１シーンのうち、除外された商品、サービス、または地域を紹介する第３シーンを、前記第１基準に従い自動的に削除される対象に設定するための第３指示を出力する、請求項１〜４のいずれか１項に記載の方法。
【請求項６】
記録されてから第１基準に従い自動的に削除される複数の番組の複数のシーンに関する情報であって、シーンで紹介される商品、サービス、または地域の少なくともいずれかの情報を受信し、商品、サービス、または地域の少なくともいずれか１つを指定するための第１操作を受け付け、前記第１情報を用いて、前記複数の番組の複数のシーンのうち、前記第１操作により指定された商品、サービス、または地域を紹介する複数の第１シーンを、前記第１基準に従い自動的に削除される対象から除外するための第１指示を出力するプロセッサを備える、電子機器。
【請求項７】
前記複数の番組は、複数のチャンネルの番組を同時に録画可能な録画装置によって記録された番組であって、録画されてから経過した時間が第１期間を超えた場合に自動的に削除されるものであり、
前記第１指示は、前記録画装置に出力される、請求項６に記載の電子機器。
【請求項８】
前記プロセッサは、商品、サービス、または地域の少なくともいずれか１つを指定するための第２操作を受け付け、指定された商品、サービス、または地域が紹介された複数の第２シーンの情報を表示部上に表示する、請求項６または７に記載の電子機器。
【請求項９】
前記プロセッサは、前記第１指示を出力した後に、前記複数の第１シーンの少なくとも１つが視聴された場合に、視聴済みのシーンを、前記第１基準に従い自動的に削除される対象に設定するための第２指示を出力する、請求項６〜８のいずれか１項に記載の電子機器。
【請求項１０】
前記プロセッサは、前記第１指示を出力した後に、前記第１操作により指定された商品、サービス、または地域の少なくとも１つが指定の対象から除外された場合に、前記複数の第１シーンのうち、除外された商品、サービス、または地域を紹介する第３シーンを、前記第１基準に従い自動的に削除される対象に設定するための第３指示を出力する、請求項６〜９のいずれか１項に記載の電子機器。
【請求項１１】
記録されてから第１基準に従い自動的に削除される複数の番組の複数のシーンに関する情報であって、シーンで紹介される商品、サービス、または地域の少なくともいずれかの情報を受信し、
商品、サービス、または地域の少なくともいずれか１つを指定するための第１操作を受け付け、
前記第１情報を用いて、前記複数の番組の複数のシーンのうち、前記第１操作により指定された商品、サービス、または地域を紹介する複数の第１シーンを、前記第１基準に従い自動的に削除される対象から除外するための第１指示を出力する、ことをコンピュータに実行させるための、プログラム。
【請求項１２】
前記複数の番組は、複数のチャンネルの番組を同時に録画可能な録画装置によって記録された番組であって、録画されてから経過した時間が第１期間を超えた場合に自動的に削除されるものであり、
前記第１指示は、前記録画装置に出力される、請求項１１に記載のプログラム。
【請求項１３】
商品、サービス、または地域の少なくともいずれか１つを指定するための第２操作を受け付け、
指定された商品、サービス、または地域が紹介された複数の第２シーンの情報を表示部上に表示する、ことを前記コンピュータに実行させるための、請求項１１または１２に記載のプログラム。
【請求項１４】
前記第１指示を出力した後に、前記複数の第１シーンの少なくとも１つが視聴された場合に、視聴済みのシーンを、前記第１基準に従い自動的に削除される対象に設定するための第２指示を出力する、ことを前記コンピュータに実行させるための、請求項１１〜１３のいずれか１項に記載のプログラム。
【請求項１５】
前記第１指示を出力した後に、前記第１操作により指定された商品、サービス、または地域の少なくとも１つが指定の対象から除外された場合に、前記複数の第１シーンのうち、除外された商品、サービス、または地域を紹介する第３シーンを、前記第１基準に従い自動的に削除される対象に設定するための第３指示を出力する、ことを前記コンピュータに実行させるための、請求項１１〜１４のいずれか１項に記載のプログラム。
【発明の詳細な説明】
【技術分野】
【０００１】
本発明の実施形態は、方法、電子機器、およびプログラムに関する。
【背景技術】
【０００２】
従来、複数のチャンネルで放送されている複数の番組を同時に自動的に記録（録画）する録画装置が知られている。このような録画装置では、自動的に録画された番組を記憶するための記憶領域に限りがあるため、自動的に録画された番組が、たとえば一定期間で自動的に削除されるようになっている。
【先行技術文献】
【特許文献】
【０００３】
【特許文献１】特開２０１２−１８２８３２号公報
【発明の概要】
【発明が解決しようとする課題】
【０００４】
上記のような従来の録画装置では、自動的に録画された番組が、ユーザにとって有用な情報が紹介されたシーンを含んでいる場合でも、ユーザが気づく前にそのシーンが自動的に削除されてしまうことがある。
【課題を解決するための手段】
【０００５】
実施形態による方法は、記録されてから第１基準に従い自動的に削除される複数の番組の複数のシーンに関する情報であって、シーンで紹介される商品、サービス、または地域の少なくともいずれかの情報を受信し、商品、サービス、または地域の少なくともいずれか１つを指定するための第１操作を受け付け、第１情報を用いて、複数の番組の複数のシーンのうち、第１操作により指定された商品、サービス、または地域を紹介する複数の第１シーンを、第１基準に従い自動的に削除される対象から除外するための第１指示を出力する、ことを備える。
【図面の簡単な説明】
【０００６】
【図１】図１は、実施形態による情報端末を含むシステムのネットワーク構成を示した例示図である。
【図２】図２は、実施形態による情報端末の内部構成を示した例示ブロック図である。
【図３】図３は、実施形態によるテレビジョン装置の内部構成を示した例示ブロック図である。
【図４】図４は、実施形態による情報処理プログラムの機能的構成を示した例示ブロック図である。
【図５】図５は、実施形態による情報端末に入力される抽出条件の例を示した例示図である。
【図６】図６は、実施形態による情報端末が抽出条件に基づいて抽出した番組のリストの例を示した例示図である。
【図７】図７は、実施形態による情報端末が抽出条件に基づいて抽出したシーンのリストの例を示した例示図である。
【図８Ａ】図８Ａは、実施形態による情報端末に表示されるマイセレクション画面を示した例示図である。
【図８Ｂ】図８Ｂは、実施形態による情報端末に表示されるマイセレクション画面を示した例示図である。
【図９】図９は、実施形態による情報端末に表示される、キーワード検索の結果を示した例示図である。
【図１０】図１０は、実施形態による情報端末に表示される、シーンに関する情報の一覧を示した例示図である。
【図１１】図１１は、実施形態による情報端末に表示される、シーンに関する情報の一覧を示した例示図である。
【図１２】図１２は、実施形態による情報端末に表示される、シーンに関する情報の詳細を示した例示図である。
【図１３】図１３は、実施形態による情報端末に表示される、商品、サービス、または地域に関する情報の詳細を示した例示図である。
【図１４】図１４は、実施形態による情報端末に表示される、ジャンル別の番組の一覧を示した例示図である。
【図１５】図１５は、実施形態による情報端末に表示されるセレクション編集画面を示した例示図である。
【図１６】図１６は、実施形態による情報端末に表示されるセレクション編集画面を示した例示図である。
【図１７】図１７は、実施形態による情報端末に表示される、話題のキーワードの一覧を示した例示図である。
【図１８】図１８は、実施形態による情報端末に表示される、商品、サービス、または地域に関する情報の一覧を示した例示図である。
【図１９】図１９は、実施形態による情報端末に表示される録画リストを示した例示図である。
【図２０】図２０は、実施形態による情報端末に表示されるチェックリストを示した例示図である。
【図２１】図２１は、実施形態による情報端末に表示される、しおり情報を追加するための画面を示した例示図である。
【図２２】図２２は、実施形態による情報処理プログラムが起動された際に情報端末が実行する処理を示した例示フローチャートである。
【図２３】図２３は、実施形態による情報端末が番組情報サーバから番組情報を取得する際に実行する処理を示した例示フローチャートである。
【図２４】図２４は、実施形態による情報端末に抽出条件が入力された際に情報端末が実行する処理を示した例示フローチャートである。
【図２５】図２５は、実施形態による情報端末が抽出条件に基づいてシーンまたは番組を抽出する際に実行する処理を示した例示フローチャートである。
【図２６】図２６は、実施形態による情報端末が抽出したシーンまたは番組のリストを表示する際に実行する処理を示した例示フローチャートである。
【図２７】図２７は、実施形態による情報端末が、ユーザの操作によって指定されたシーンまたは番組を自動的に削除される対象から除外する旨の指示を出力する際に実行する処理を示した例示フローチャートである。
【図２８】図２８は、実施形態による情報端末が、視聴済のシーンまたは番組を自動的に削除される対象に設定する旨の指示を出力する際に実行する処理を示した例示フローチャートである。
【図２９】図２９は、実施形態による情報端末に入力された抽出条件が削除された場合に情報端末が実行する処理を示した例示フローチャートである。
【発明を実施するための形態】
【０００７】
以下、実施形態を図面に基づいて説明する。
【０００８】
まず、図１を参照して、実施形態による情報端末１００を含むシステム１０００のネットワーク構成について説明する。
【０００９】
図１に示すように、システム１０００は、情報端末１００と、テレビジョン装置２００と、番組情報サーバ（以下、単にサーバという）３００とを備える。情報端末１００は、「電子機器」の一例であり、テレビジョン装置２００は、「録画装置」の一例である。
【００１０】
情報端末１００は、スマートフォンやタブレットなどの情報処理装置である。また、テレビジョン装置２００は、複数のチャンネルで放送されている複数の番組を同時に自動で録画することが可能なように構成された、いわゆるタイムシフトマシン機能を有する映像表示装置である。また、番組情報サーバ３００は、複数の番組に関する番組情報を記憶するように構成された記憶装置である。
【００１１】
ここで、番組情報サーバ３００に記憶される番組情報は、各番組に含まれる各シーンに関する情報であって、各シーンで紹介された商品、サービスまたは地域に関する情報を含む。シーンに関する情報とは、たとえば各シーンのタイトル、説明、登場人物、製作スタッフなどを示す情報であり、商品、サービスまたは地域に関する情報とは、たとえば各シーンで紹介された商品、グルメ（レストラン）、娯楽施設、宿泊施設、観光名所などを示す情報である。これらの番組情報は、番組の放送後に、番組情報サーバ３００の管理者などによって登録される。
【００１２】
図１に示すように、情報端末１００、テレビジョン装置２００、および番組情報サーバ３００は、互いに通信可能に接続されている。より具体的には、情報端末１００とテレビジョン装置２００とは、ホームネットワークなどを介して接続されており、情報端末１００と番組情報サーバ３００とは、インターネットなどを介して接続されている。また、テレビジョン装置２００と番組情報サーバ３００とは、インターネットなどを介して接続されている。
【００１３】
次に、図２を参照して、実施形態による情報端末１００の内部構成について説明する。
【００１４】
図２に示すように、情報端末１００は、通信部１０１と、音声入力部１０２と、センサ群１０３と、表示部１０４と、グラフィクスコントローラ１０５と、タッチパネルコントローラ１０６と、制御部１０７と、メモリ１０８とを備える。制御部１０７は、「プロセッサ」の一例である。実施形態では、情報端末１００が上記の他にカメラやスピーカなどを備えていてもよい。
【００１５】
通信部１０１は、他の機器（番組情報サーバ３００やテレビジョン装置２００など）との間の通信に用いられる通信インターフェースである。音声入力部１０２は、マイクロフォンなどの音声入力デバイスであり、ユーザによる音声入力を受け付けるように構成されている。
【００１６】
センサ群１０３は、加速度センサや、方位センサや、ジャイロセンサなどを含む。加速度センサとは、情報端末１００が移動された場合における情報端末１００の加速度の向きおよび大きさを検出するように構成されたセンサデバイスである。方位センサは、情報端末１００の方位を検出するように構成されたセンサデバイスである。ジャイロセンサは、情報端末１００が回転された場合における情報端末１００の角速度（回転角度）を検出するように構成されたセンサデバイスである。
【００１７】
表示部１０４は、ディスプレイ１０４ａとタッチパネル１０４ｂとを組み合わせた、いわゆるタッチスクリーンデバイスである。ディスプレイ１０４ａは、たとえば、ＬＣＤ（Ｌｉｑｕｉｄ  Ｃｒｙｓｔａｌ  Ｄｉｓｐｌａｙ）や有機ＥＬ（Ｅｌｅｃｔｒｏ  Ｌｕｍｉｎｅｓｃｅｎｃｅ）ディスプレイなどである。タッチパネル１０４ｂは、ユーザの指やスタイラスなどによってタッチされたディスプレイ１０４ａの表示画面上の位置（タッチ位置）を検知するように構成されている。
【００１８】
グラフィクスコントローラ１０５は、表示部１０４のディスプレイ１０４ａを制御するように構成されている。タッチパネルコントローラ１０６は、表示部１０４のタッチパネル１０４ｂを制御し、ユーザがタッチした表示画面上のタッチ位置を示す座標データをタッチパネル１０４ｂから取得するように構成されている。
【００１９】
制御部１０７は、各種コンピュータプログラムを実行することにより、情報端末１００の各コンポーネントを制御するように構成されたＣＰＵ（Ｃｅｎｔｒａｌ  Ｐｒｏｃｅｓｓｉｎｇ  Ｕｎｉｔ）などを備える。メモリ１０８は、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）などを備え、制御部１０７による各種演算処理に用いられる各種コンピュータプログラムや各種データなどを記憶するように構成されている。
【００２０】
次に、図３を参照して、実施形態によるテレビジョン装置２００の内部構成について説明する。
【００２１】
図３に示すように、テレビジョン装置２００は、アンテナ２０１と、入力端子２０２ａと、チューナ２０３と、復調器２０４とを備える。
【００２２】
アンテナ２０１は、デジタル放送の放送信号を受信し、受信した放送信号を、入力端子２０２ａを介してチューナ２０３に供給するように構成されている。チューナ２０３は、アンテナ２０１から供給された放送信号から所望のチャンネルの放送信号を選局し、選局した放送信号を復調器２０４に供給するように構成されている。復調器２０４は、チューナ２０３から供給された放送信号を復調することにより映像信号および音声信号を生成し、生成した映像信号および音声信号を後述するセレクタ２０６に供給するように構成されている。
【００２３】
また、テレビジョン装置２００は、入力端子２０２ｂおよび２０２ｃと、Ａ／Ｄ（アナログ／デジタル）変換器２０５と、セレクタ２０６と、信号処理部２０７と、スピーカ２０８と、映像表示パネル２０９とを備える。
【００２４】
入力端子２０２ｂは、外部に接続可能に構成されており、外部から入力されるアナログ信号（映像信号および音声信号）を受け付けるように構成されている。同様に、入力端子２０２ｃは、外部に接続可能に構成されており、外部から入力されるデジタル信号（映像信号および音声信号）を受け付けるように構成されている。Ａ／Ｄ変換器２０５は、入力端子２０２ｂから供給されるアナログ信号にＡ／Ｄ変換を施すことにより生成したデジタル信号をセレクタ２０６に供給するように構成されている。
【００２５】
セレクタ２０６は、復調器２０４、Ａ／Ｄ変換器２０５、および入力端子２０２ｃから供給される複数のデジタル信号から１つを選択し、選択した１つのデジタル信号を信号処理部２０７に供給するように構成されている。信号処理部２０７は、セレクタ２０６から供給されるデジタルの映像信号にスケーリング処理などの所定の信号処理を施し、処理後の映像信号を映像表示パネル２０９に供給するように構成されている。また、信号処理部２０７は、セレクタ２０６から供給されるデジタルの音声信号に所定の信号処理を施し、処理後の音声信号をアナログの音声信号としてスピーカ２０８に出力するように構成されている。
【００２６】
スピーカ２０８は、信号処理部２０７から供給される音声信号に基づいて音声を出力するように構成されている。また、映像表示パネル２０９は、信号処理部２０７から供給される映像信号に基づいて静止画や動画などの映像を表示するように構成されている。
【００２７】
さらに、テレビジョン装置２００は、操作部２１０と、受光部２１１と、通信部２１２と、制御部２１３と、メモリ２１４と、ストレージ２１５とを備える。
【００２８】
操作部２１０は、ユーザの操作入力を受け付けるように構成されている。受光部２１１は、テレビジョン装置２００を遠隔で操作するためのリモートコントローラ２５０からの赤外線を受光するように構成されている。通信部２１２は、他の機器（情報端末１００や番組情報サーバ３００など）との間の通信に用いられる通信インターフェースである。
【００２９】
制御部２１３は、ＣＰＵなどを内蔵したマイクロプロセッサであり、テレビジョン装置２００の各コンポーネントを制御するように構成されている。メモリ２１４は、制御部２１３のＣＰＵが実行する各種コンピュータプログラムを格納するＲＯＭや、ＣＰＵに作業エリアを提供するＲＡＭなどを備える。ストレージ２１５は、ＨＤＤ（ハードディスクドライブ）やＳＳＤ（ソリッドステートドライブ）などを備え、セレクタ２０６により選択されたデジタル信号を録画データとして記録するように構成されている。
【００３０】
ここで、上記のように、実施形態によるテレビジョン装置２００は、複数のチャンネルで放送されている複数の番組を同時に自動で録画することが可能なように構成された、いわゆるタイムシフトマシン機能を有する映像表示装置である。また、一般に、ストレージ２１５の容量には制限があるので、録画された番組を長期間に渡って蓄積するのには限界がある。したがって、実施形態によるテレビジョン装置２００は、ストレージ２１５の空き領域が無くなるのを回避するために、上記のタイムシフトマシン機能によって録画された番組を一定期間後に自動的に削除するように構成されている。
【００３１】
しかしながら、録画された番組が一定期間後に自動的に削除される上記のような構成では、録画された番組がユーザにとって有用な情報が紹介されたシーンを含む場合でも、ユーザが気づき、視聴する前にそのシーンが削除されてしまう可能性がある。そこで、実施形態による情報端末１００は、図４に示すような情報処理プログラム５００を実行することにより、録画された番組の番組情報を受信し、ユーザによる商品、サービス、または地域を指定するための操作を受け付け、録画された番組のうち、ユーザにより指定された商品、サービス、または地域が紹介された１以上のシーンを、自動的に削除される対象から除外する旨の指示を出力するように構成されている。
【００３２】
ここで、図４を参照して、実施形態による情報処理プログラム５００についてより具体的に説明する。この情報処理プログラム５００は、以下で説明するようなモジュール構成となっている。
【００３３】
図４に示すように、情報処理プログラム５００は、入力制御部５０１と、表示制御部５０２と、通信制御部５０３と、抽出条件管理部５０４と、抽出部５０５と、リスト管理部５０６とを備える。これらの各モジュールは、情報端末１００が情報処理プログラム５００を実行した結果として、すなわち制御部１０７のＣＰＵがメモリ１０８のＲＯＭから情報処理プログラム５００を読み出して実行した結果として、メモリ１０８のＲＡＭ上に生成される。
【００３４】
入力制御部５０１は、情報端末１００の音声入力部１０２やタッチパネル１０４ｂを介したユーザの入力操作を検出するように構成されている。たとえば、入力制御部５０１は、上記の１以上のシーンを抽出するための抽出条件を入力する操作、すなわち抽出条件としての商品、サービス、または地域を指定する操作がユーザにより行われたか否かを検出するように構成されている。
【００３５】
表示制御部５０２は、情報端末１００のディスプレイ１０４ａへの映像出力を制御するように構成されている。たとえば、表示制御部５０２は、ユーザの操作などに応じて、後述する図８Ａ〜図２１に示すような画像をディスプレイ１０４ａに表示することが可能なように構成されている。
【００３６】
通信制御部５０３は、情報端末１００の通信部１０１を介した各種データの送受信を制御するように構成されている。たとえば、通信制御部５０３は、タイムシフトマシン機能によってテレビジョン装置２００に自動的に録画された番組の番組情報を番組情報サーバ３００から定期的に取得するように構成されている。
【００３７】
抽出条件管理部５０４は、ユーザが指定した抽出条件を管理するように構成されている。たとえば、抽出条件管理部５０４は、ユーザが指定した抽出条件を、図５に示すようなリスト形式で管理するように構成されている。図５に示した例では、「○○太郎」という人物と、「ヘルスケア」というキーワードと、「青梅市」という地域と、「ラーメン」というグルメと、「マンガ」という商品とが抽出条件として指定されている。
【００３８】
抽出部５０５は、タイムシフトマシン機能によってテレビジョン装置２００に自動的に録画された番組から、抽出条件として指定された商品、サービス、地域などが紹介された１以上の番組またはシーンを抽出するように構成されている。すなわち、抽出部５０５は、テレビジョン装置２００に自動的に録画された番組の中に、抽出条件として指定された商品、サービス、地域などが紹介された番組またはシーンが存在するか否かを検索し、検索結果を番組毎またはシーン毎のリストとして出力するように構成されている。
【００３９】
たとえば、抽出条件が図５のように指定されている場合、抽出部５０５は、図６に示すような番組のリストを出力するように構成されている。また、抽出部５０５は、図５に示した抽出条件のうち「ラーメン」というグルメが紹介されたシーンを特に抽出するための操作がユーザによって行われた場合、図７に示すようなシーンのリストを出力するように構成されている。
【００４０】
リスト管理部５０６は、抽出部５０５が抽出した番組またはシーンのリスト（図６または図７参照）や、後述するチェックリストなどを管理するように構成されている。
【００４１】
ここで、実施形態では、抽出部５０５により抽出された番組またはシーンのリストは、各番組またはシーンがテレビジョン装置２００によって自動的に削除されるのを許容するか否かを示す情報（図６または図７の右端の欄参照）を付加することが可能なように構成されている。したがって、ユーザは、図６または図７に示すようなリストをディスプレイ１０４ａに表示させる操作を行った上で、タッチパネル１０４ｂなどを用いて所定の操作を行うことにより、リストに含まれる、通常は自動的に削除される対象として設定されている各番組または各シーンを、自動的に削除される対象から除外することができる。
【００４２】
つまり、表示制御部５０２は、ユーザの操作に応じて、抽出部５０５が抽出した番組またはシーンのリスト（図６または図７参照）をディスプレイ１０４ａに表示することが可能なように構成されている。また、通信制御部５０３は、リストに含まれる番組またはシーンの少なくとも１つを自動的に削除される対象から除外する操作がユーザにより行われた場合に、その少なくとも１つの番組またはシーンを自動的に削除される対象から除外する旨の指示をテレビジョン装置２００に送信するように構成されている。
【００４３】
テレビジョン装置２００は、上記のような指示を情報端末１００から受信した場合に、指示で指定された番組またはシーンがテレビジョン装置２００に記憶（録画）された状態を維持するように構成されている。たとえば、テレビジョン装置２００は、指定された番組またはシーンに対応するデータを、ストレージ２１５のうちタイムシフトマシン機能によって使用される領域とは別の領域に退避するいわゆるダビングを行うことにより、指定された番組またはシーンがテレビジョン装置２００に録画された状態を維持するように構成されている。ここで、ダビングは、深夜帯など、通常はテレビジョン装置２００が使用されないような時間帯に行われる。これにより、テレビジョン装置２００の通常使用に影響を与えることなくダビングを行うことができる。
【００４４】
なお、実施形態では、抽出部５０５は、抽出条件に応じた番組またはシーンのリストの抽出を、たとえばテレビジョン装置２００に録画された番組が増える毎に行うように構成されている。つまり、抽出部５０５は、テレビジョン装置２００に新たに録画された番組の番組情報が通信制御部５０３により取得される毎に、上記の番組またはシーンのリストの抽出を行うように構成されている。ここで、一般に、番組が放送されてから（番組がテレビジョン装置２００に録画されてから）その番組の番組情報が番組情報サーバ３００に追加されるまでの間にはタイムラグがある。したがって、抽出部５０５は、番組情報サーバ３００に番組情報が追加される前は、番組表などの少ない情報量に基づいて、抽出条件に応じた番組またはシーンの検索を迅速に行い、番組情報サーバ３００に番組情報が追加された後は、番組情報サーバ３００の番組情報も加えたより多くの情報量に基づいて、抽出条件に応じた番組またはシーンの検索を詳細に行うように構成されていてもよい。
【００４５】
また、実施形態では、上記のリストにおいて自動的に削除される対象から除外された番組またはシーンがユーザによって視聴された場合、抽出部５０５は、視聴済の番組またはシーンを検索対象から除外し、通信制御部５０３は、視聴済の番組またはシーンを、自動的に削除される対象に戻す旨の指示をテレビジョン装置２００に出力するように構成されている。
【００４６】
また、実施形態では、抽出条件がユーザの操作によって削除された場合、抽出部５０５は、削除された抽出条件に対応する番組またはシーンを検索対象から除外し、通信制御部５０３は、削除された抽出条件に対応する番組またはシーンを、自動的に削除される対象に戻す旨の指示をテレビジョン装置２００に出力するように構成されている。
【００４７】
次に、図８Ａ〜図２１を参照して、実施形態による情報処理プログラム５００が起動された場合にディスプレイ１０４ａに表示されるＵＩ（ユーザインタフェース）の例についてより具体的に説明する。
【００４８】
実施形態では、情報処理プログラム５００が起動された場合、まず、表示制御部５０２は、図８Ａおよび図８Ｂに示すようなマイセレクション画面ＩＭ１（以下、単に画面ＩＭ１という）をディスプレイ１０４ａに表示するように構成されている。なお、図８Ｂは、図８Ａに示す画面ＩＭ１を下側にスクロールしたものを示している。
【００４９】
図８Ａおよび図８Ｂに示すように、画面ＩＭ１は、タイトルバーＢ１と、検索バーＢ２と、複数のセレクションボタンＢ３〜Ｂ７と、タブバーＢ８とを含む。なお、タブバーＢ８は、以下で説明する種々の操作によって表示画面が切り替わる場合でも固定的にディスプレイ１０４ａに表示される。
【００５０】
まず、図９〜図１３を参照して、図８Ａおよび図８Ｂの検索バーＢ２を用いたキーワード検索について説明する。ここで、キーワード検索とは、検索バーＢ２に入力したキーワードに合致するまたは関連する番組情報を番組情報サーバ３００から取得してディスプレイ１０４ａに表示する操作である。
【００５１】
たとえば、図８Ａおよび図８Ｂの検索バーＢ２に「Ｗ杯」というキーワードが入力されたことを入力制御部５０１が検出すると、通信制御部５０３は、「Ｗ杯」というキーワードに合致するまたは関連する番組に関する番組情報を番組情報サーバ３００から取得する。そして、表示制御部５０２は、通信制御部５０３により取得された番組情報の一覧を、キーワード検索結果としてディスプレイ１０４ａに表示する（図９の画面ＩＭ２参照）。
【００５２】
ここで、図９は、検索結果が番組別に表示された例を示しているが、ユーザは、画面ＩＭ２の表示切替ボタンＢ９をタッチ（選択）することにより、検索結果を番組単位で表示するかシーン単位で表示するかを切り替えることができる。また、ユーザは、画面ＩＭ２の検索バーＢ１０内に表示された「絞り込み」という表示をタッチすることにより、検索結果をさらに絞り込むことができる。
【００５３】
なお、図９の画面ＩＭ２は、検索結果としての複数の番組が放送時間順に表示された例を示しているが、実施形態では、検索結果としての複数の番組が放送時間順に表示されていなくてもよい。また、実施形態では、検索結果としての複数の番組の各々がテレビジョン装置２００に録画されている番組であるか録画されていない番組であるかを識別することができるように、検索結果としての各番組に対応して表示されたマークＭ１の表示形式を変えてもよい。たとえば、テレビジョン装置２００に録画されていない番組に対応するマークＭ１を相対的に暗く表示し（グレーアウト表示）、テレビジョン装置２００に録画されている番組に対応するマークＭ１を相対的に明るく表示してもよい。
【００５４】
ここで、図９の画面ＩＭ２に表示された複数の番組のうちの１つをタッチする操作を入力制御部５０１が検出すると、表示制御部５０２は、選択された番組に含まれる複数のシーンに関する複数のシーン情報の一覧をディスプレイ１０４ａに表示する（図１０の画面ＩＭ３参照）。ユーザは、図１０の画面ＩＭ３に表示された複数のシーンのうちの１つをタッチすることにより、選択したシーンをテレビジョン装置２００に表示再生させることができる。つまり、実施形態では、情報端末１００を、テレビジョン装置２００を操作するためのリモートコントローラとして使用することができる。
【００５５】
また、図１０の画面ＩＭ３に表示された複数のシーンのうちの１つをタッチする操作を入力制御部５０１が検出すると、表示制御部５０２は、図１１に示すように、選択された１つのシーンがテレビジョン装置２００で表示再生されていることを明示するためのマークＭ２を画面ＩＭ３上に表示する。この画面ＩＭ３と同様の画面は、図８Ａおよび図８ＢのタイトルバーＢ１や図１０のタイトルバーＢ１１に表示された「再生中」という表示をタッチする操作が行われた場合などにも表示される。つまり、実施形態では、ユーザは、「再生中」という表示を選択すると、現在テレビジョン装置２００で表示再生されているシーンを含む番組のシーン一覧を、図１１の画面ＩＭ３と同様の表示形式でディスプレイ１０４ａに表示させることができる。なお、後述する図１２、図１３、および図１７〜図２０にも「再生中」という表示を含むタイトルバーが存在するが、これらのタイトルバーの「再生中」という表示が選択された場合でも、図１１の画面ＩＭ３と同様のシーン一覧がディスプレイ１０４ａに表示される。
【００５６】
また、図１０または図１１の画面ＩＭ３の各シーンに対応して表示された詳細表示ボタンＢ１２をタッチする操作を入力制御部５０１が検出すると、表示制御部５０２は、図１２に示すようなシーン詳細画面ＩＭ４（以下、単に画面ＩＭ４という）をディスプレイ１０４ａに表示する。
【００５７】
図１２の画面ＩＭ４には、図１０または図１１の画面ＩＭ３上で選択された詳細表示ボタンＢ１２に対応するシーンに関する情報と、そのシーンで紹介されたグルメに関する情報とが表示されている。画面ＩＭ４に表示された画像ＩＭ４ａをタッチする操作を入力制御部５０１が検出すると、表示制御部５０２は、図１３に示すような詳細画面ＩＭ５（以下、単に画面ＩＭ５という）をディスプレイ１０４ａに表示する。なお、図１２には、シーンに関する情報と、そのシーンで紹介されたグルメに関する情報とが表示された例が図示されているが、実施形態では、シーンに関する情報と、そのシーンで紹介された全ての商品、サービス、または地域に関する情報が表示されていてもよい。
【００５８】
図１３の画面ＩＭ５には、図１２の画像ＩＭ４ａに対応するグルメに関する情報の詳細が表示されている。たとえば、図１３の画面ＩＭ５には、グルメに関する情報の詳細として、そのグルメが紹介された番組のタイトルおよび放送時間や、グルメを提供する店舗の名前、説明および住所（地図）などが表示されている。
【００５９】
なお、図１３の画面ＩＭ５には、店舗の名前の横に、「インターネットで検索」と表示されている。ユーザは、この「インターネットで検索」という表示をタッチすることにより、情報端末１００にインストールされたブラウザを起動し、画面ＩＭ５に表示された店舗の名前に一致するまたは関連する情報をインターネット上で検索することができる。また、画面ＩＭ５には、店舗の住所の横に、「地図アプリで検索」と表示されている。ユーザは、この「地図アプリで検索」という表示をタッチすることにより、情報端末１００にインストールされた地図アプリを起動し、画面ＩＭ５に表示された店舗の住所の付近の地図を地図アプリ上で検索することができる。
【００６０】
次に、図１４〜図１８を参照して、図８Ａおよび図８Ｂの画面ＩＭ１に表示されたセレクションボタンＢ３〜Ｂ７を用いたセレクション検索について説明する。
【００６１】
図８Ａおよび図８ＢのセレクションボタンＢ３は、番組のジャンル毎に複数設けられている。これら複数のセレクションボタンＢ３のうちの１つをタッチする操作を入力制御部５０１が検出すると、通信制御部５０３は、選択されたセレクションボタンＢ３に対応するジャンルと一致するジャンルの番組の番組情報を番組情報サーバ３００から検索して取得する。そして、表示制御部５０２は、通信制御部５０３により取得された番組情報の一覧を、ジャンル別の番組一覧としてディスプレイ１０４ａに表示する（図１４の画面ＩＭ６参照）。図１４の画面ＩＭ６には、一例として、「ニュース」というジャンルに属する複数の番組の番組情報が一覧表示されている。
【００６２】
また、図８Ｂの画面ＩＭ１には、上記のセレクションボタンＢ３の他にも、“ＪＪＪ”や“ＫＫＫ”といったキーワードに対応するセレクションボタンＢ４が表示されている。このセレクションボタンＢ４は、対応する文字列と一致するまたは関連する文字列を含む番組情報を一覧表示するためのボタンである。つまり、セレクションボタンＢ４をタッチする操作を入力制御部５０１が検出すると、通信制御部５０３は、選択されたセレクションボタンＢ４に対応するキーワードと一致するまたは関連するキーワードを含む番組情報を番組情報サーバ３００から検索して取得する。そして、表示制御部５０２は、通信制御部５０３により取得された番組情報の一覧を、図１４の画面ＩＭ６と同様の表示形式でディスプレイ１０４ａに表示する。
【００６３】
ここで、セレクション検索における検索条件は、ユーザが任意に設定することが可能である。つまり、図８Ａおよび図８Ｂの画面ＩＭ１内に、どのような検索条件に対応するセレクションボタンを表示するかは、ユーザが任意に設定することが可能である。なお、ここでいうセレクションボタンとは、所定の検索条件に基づく検索結果を図１４の画面ＩＭ６と同様の表示形式でディスプレイ１０４ａに一覧表示させるためのボタンであり、上記セレクションボタンＢ３およびＢ４と同様の機能を有するボタンのことである。
【００６４】
詳細には、ユーザは、図１５および図１６のセレクション編集画面ＩＭ７およびＩＭ８（以下、単に画面ＩＭ７およびＩＭ８という）上で所定の操作を行うことにより、セレクション検索における検索条件を追加したり削除したりすることができる。なお、図１５の画面ＩＭ７は、図８Ａおよび図８ＢのタイトルバーＢ１に表示された「カスタマイズ」という文字列が選択された際にディスプレイ１０４ａに表示される画面であり、図１６の画面ＩＭ８は、図１５の画面ＩＭ７のタイトルバーＢ１３に表示された「編集」という文字列が選択された際にディスプレイ１０４ａに表示される画面である。
【００６５】
たとえば、ユーザは、図１５の画面ＩＭ７に表示された「セレクションの作成」というボタンＢ１４を選択し、新たな検索条件を入力する操作を行うことにより、図８Ａおよび図８Ｂの画面ＩＭ１上に、入力した検索条件に対応する新たなセレクションボタンを追加表示させることができる。なお、図１５の画面ＩＭ７には、一例として、アニメや映画などのジャンルや、「Ｗ杯」や「ＫＫＫ」などのキーワードが一覧表示されている。図１５の各ジャンルやキーワードに対応するセレクションボタンを図８Ａおよび図８Ｂの画面ＩＭ１上に表示させるか否かは、各ジャンルやキーワードに対応するように表示されたボタンＢ１５を操作することによって切り替え可能である。
【００６６】
また、ユーザは、図１６の画面ＩＭ８に表示されたボタンＢ１６を操作することにより、過去に設定した検索条件を削除することができる。実施形態では、このボタンＢ１６を、デフォルトで予め設定されている検索条件に対しては表示せず、ユーザが作成した検索条件に対してのみ表示するように構成してもよい。このように構成すれば、デフォルトで予め設定されている検索条件を削除不可能にし、ユーザが作成した検索条件のみを削除可能にすることができる。たとえば、図１６の画面ＩＭ８では、ユーザが設定した「Ｗ杯」、「ＫＫＫ」、および「ＰＰＰ」といったキーワードに対してのみボタンＢ１６が表示されている。
【００６７】
図１７の画面ＩＭ９は、図８ＢのセレクションボタンＢ５が選択された場合にディスプレイ１０４ａに表示されるキーワード一覧を示すものである。この画面ＩＭ９には、検索対象としてユーザに頻繁に設定される話題のキーワードが、設定される頻度の高い順に一覧表示されている。ユーザは、画面ＩＭ９上で一覧表示された複数のキーワードのうちの１つを選択することにより、選択したキーワードに一致するまたは関連するキーワードを含む番組情報を、図９の画面ＩＭ２と同様の表示形式でディスプレイ１０４ａに表示させることができる。
【００６８】
また、図１８の画面ＩＭ１０は、図８ＢのセレクションボタンＢ６が選択された場合にディスプレイ１０４ａに表示される商品サービス一覧を示すものである。この画面ＩＭ１０には、番組で紹介されたグルメの情報（レストランの店舗情報）が、紹介された日時の新しい順に一覧表示されている。ユーザは、画面ＩＭ１０上で一覧表示された複数の店舗情報のうちの１つを選択することにより、選択した店舗情報の詳細を、図１３の画面ＩＭ５と同様の表示形式でディスプレイ１０４ａに表示させることができる。なお、実施形態では、図８ＢのセレクションボタンＢ６が選択された場合、番組で紹介された商品の情報の一覧が、図１８の画面ＩＭ１０と同様の表示形式でディスプレイ１０４ａに表示される。
【００６９】
次に、図１９を参照して、録画リストについて説明する。録画リストとは、テレビジョン装置２００に録画された番組の一覧を示すものである。
【００７０】
図１９の画面ＩＭ１１は、タブバーＢ８のうちの「録画リスト」という部分が選択された場合にディスプレイ１０４ａに表示される。ユーザは、画面ＩＭ１１上で一覧表示された複数の番組のうちの１つを選択することにより、選択した番組の番組情報を、図１０の画面ＩＭ３と同様の表示形式でディスプレイ１０４ａに表示させることができる。なお、図１９は、録画リストの表示態様の一例として、テレビジョン装置２００側で録画された番組が放送日時の新しい順に一覧表示された画面ＩＭ１１を示しているが、実施形態では、番組の表示の順番は、放送日時の新しい順でなくてもよい。
【００７１】
次に、図２０を参照して、チェックリストについて説明する。チェックリストとは、ユーザが興味を示した情報の一覧を示すものである。
【００７２】
図２０の画面ＩＭ１２は、チェックリストの一例として、ユーザが興味を示した番組の一覧を表示している。この画面ＩＭ１２は、タブバーＢ８のうちの「チェックリスト」という部分が選択された場合にディスプレイ１０４ａに表示される。ユーザは、画面ＩＭ１２上で一覧表示された複数の番組のうちの１つを選択することにより、選択した番組の番組情報を、図１０の画面ＩＭ３と同様の表示形式でディスプレイ１０４ａに表示させることができる。実施形態では、図２０に示すように、チェックリストに登録された番組があとどれくらいの時間でテレビジョン装置２００から自動的に削除されるかを表示してもよい。
【００７３】
チェックリストに情報を登録する手法としては、図９〜図１２、図１４、および図１８のボタンＢ１７を操作する手法が挙げられる。つまり、図９〜図１２、図１４、および図１８のボタンＢ１７をタッチする操作を入力制御部５０１が検出すると、通信制御部５０３は、ボタンＢ１７に対応して表示された番組の番組情報を番組情報サーバ３００から取得する。そして、リスト管理部５０６は、通信制御部５０３により取得された番組情報をメモリ１０８内のチェックリストに登録する。
【００７４】
ここで、実施形態では、チェックリストは、ユーザが興味を示した情報を、番組単位で登録するだけでなく、シーン単位、および商品またはサービス単位で登録することが可能なように構成されている。つまり、実施形態では、ユーザは、図１２の画面ＩＭ４上でボタンＢ１７をタッチすることにより、画面ＩＭ４に表示されたシーンのシーン情報をチェックリストに登録することができる。また、ユーザは、図１８の画面ＩＭ１０上でボタンＢ１７をタッチすることにより、画面ＩＭ１０に表示された商品またはサービスの商品サービス情報をチェックリストに登録することができる。なお、図１２のボタンＢ１８は、画面ＩＭ４に表示されたシーンのシーン情報をＳＮＳ（Ｓｏｃｉａｌ  Ｎｅｔｗｏｒｋｉｎｇ  Ｓｅｒｖｉｃｅ）などを利用して他のユーザと共有するためのボタンである。
【００７５】
また、実施形態では、チェックリストに情報を登録する手法として、上記のボタンＢ１７を操作する手法以外にも、図２１の画面ＩＭ１３を操作する手法が挙げられる。この画面ＩＭ１３には、テレビジョン装置２００で表示再生されている番組のチャンネルを切り替えるための選局ボタンなどを含む画像ＩＭ１３ａと、以下で説明するしおり情報を入力するための画像ＩＭ１３ｂとが表示されている。
【００７６】
ユーザは、テレビジョン装置２００を用いて番組を視聴中に、図２１の画像ＩＭ１３ｂ上の「シーンを登録」という表示をタッチすることにより、その操作を行った時点でテレビジョン装置２００に表示再生されている番組のシーンをチェックリストに登録することができる。
【００７７】
ここで、図２１の画像ＩＭ１３ｂは、「シーンを登録」という表示の他にも、「このシーンの登場人物」、「このシーンの話題」、「紹介された商品」、「紹介されたグルメ」、および「紹介された施設」といった表示も含んでいる。これらの表示は、テレビジョン装置２００に表示再生されている番組のうちのどの情報に興味を持っているかをユーザに選択させるために設けられている。つまり、これらの表示のうちのどの表示をユーザが選択したかを記憶しておけば、ユーザが興味を持っている情報の種類を推定することができるので、ユーザが興味を持っている情報を後でおすすめ情報としてユーザに提供することができる。実施形態では、この画像ＩＭ１３ｂ内の各表示をユーザに選択させることにより、図６または図７に示すようなリストを抽出部５０５に抽出させるための抽出条件（図５参照）をユーザに設定させてもよい。
【００７８】
次に、図２２を参照して、実施形態による情報処理プログラム５００が起動された際に情報端末１００が実行する処理フローについて説明する。
【００７９】
この処理フローでは、図２２に示すように、表示制御部５０２は、まず、ステップＳ１において、マイセレクション画面（図８Ａおよび図８Ｂの画面ＩＭ１）をディスプレイ１０４ａに表示する。そして、ステップＳ２に処理が進む。
【００８０】
ステップＳ２において、表示制御部５０２は、図８Ａおよび図８Ｂの画面ＩＭ１上でのユーザの操作が入力制御部５０１によって検出されたか否かを判断する。このステップＳ２の処理は、ユーザの操作が検出されたと判断されるまで繰り返される。そして、ステップＳ２において、ユーザの操作が検出されたと判断された場合、ステップＳ３に処理が進む。
【００８１】
ステップＳ３において、表示制御部５０２は、入力制御部５０１によって検出されたユーザの操作が、情報処理プログラム５００を終了させるための終了操作であるか否かを判断する。ステップＳ３において、ユーザの操作が終了操作であると判断された場合には、処理が終了する。一方、ステップＳ３において、ユーザの操作が終了操作ではないと判断された場合、たとえば図８Ａの検索バーＢ２にキーワードを入力する操作や、図８Ａおよび図８ＢのセレクションボタンＢ３〜Ｂ７をタッチする操作を入力制御部５０１が検出したと判断された場合には、ステップＳ４に処理が進む。
【００８２】
ステップＳ４において、表示制御部５０２は、ディスプレイ１０４ａに表示する画面を、ユーザの操作に応じた画面に切り替える。たとえば、図８Ａおよび図８Ｂの画面ＩＭ１上でセレクションボタンＢ３をタッチする操作を入力制御部５０１が検出すると、表示制御部５０２は、ディスプレイ１０４ａに表示する画面を、画面ＩＭ１から、図１４の画面ＩＭ６に切り替える。そして、ステップＳ２に処理が戻る。
【００８３】
次に、図２３を参照して、実施形態による情報端末１００が番組情報サーバ３００から番組情報を取得する際に実行する処理フローについて説明する。
【００８４】
この処理フローでは、図２３に示すように、通信制御部５０３は、まず、ステップＳ１１において、前回番組情報を取得してから一定時間が経過したか否かを判断する。このステップＳ１１の処理は、一定時間が経過したと判断されるまで繰り返される。ステップＳ１１において、一定時間が経過したと判断された場合、ステップＳ１２に処理が進む。
【００８５】
ステップＳ１２において、通信制御部５０３は、番組情報サーバ３００から番組情報を取得する。このように取得された番組情報は、メモリ１０８などに記憶される。そして、処理が戻る。
【００８６】
次に、図２４を参照して、実施形態による情報端末１００に抽出条件を入力する操作が検出された際に情報端末１００が実行する処理フローについて説明する。
【００８７】
この処理フローでは、図２４に示すように、抽出条件管理部５０４は、まず、ステップＳ２１において、ユーザによる抽出条件を入力する操作が入力制御部５０１によって検出されたか否かを判断する。抽出条件とは、たとえばユーザが有用だと判断して指定した商品、サービス、または地域である。このステップＳ２１の処理は、抽出条件を入力する操作が検出されたと判断されるまで繰り返される。ステップＳ２１において、抽出条件を入力する操作が検出された場合、ステップＳ２２に処理が進む。
【００８８】
ステップＳ２２において、抽出条件管理部５０４は、入力された抽出条件を記憶する。そして、処理が戻る。
【００８９】
次に、図２５を参照して、実施形態による情報端末１００が抽出条件に基づいてシーンまたは番組を抽出する際に実行する処理フローについて説明する。
【００９０】
この処理フローでは、図２５に示すように、抽出部５０５は、まず、ステップＳ３１において、タイムシフトマシン機能によってテレビジョン装置２００に自動的に録画された番組が増えたか否かを判断する。このステップＳ３１の処理は、録画された番組が増えたと判断されるまで繰り返される。ステップＳ３１において、録画された番組が増えたと判断された場合、ステップＳ３２に処理が進む。
【００９１】
ステップＳ３２において、抽出部５０５は、ユーザの操作によって指定された抽出条件に基づいて、テレビジョン装置２００に録画された番組から、ユーザにより指定された商品、サービス、または地域が紹介された１以上のシーン（または番組）を抽出する。なお、抽出のタイミングとしては、新たに録画された番組の番組情報が番組情報サーバ３００に追加された後であってもよいし、新たに録画された番組の番組情報が番組情報サーバ３００に追加される前であってもよい。前者の場合は、多くの情報量に基づいて、抽出条件に応じたシーンの検索を詳細に行うことができ、後者の場合は、少ない情報量に基づいて、抽出条件に応じたシーンの検索を迅速に行うことができる。そして、ステップＳ３３に処理が進む。
【００９２】
ステップＳ３３において、リスト管理部５０６は、抽出部５０５がステップＳ３２において抽出した１以上のシーン（または番組）のリストを記憶する。そして、処理が戻る。
【００９３】
次に、図２６を参照して、実施形態による情報端末１００が抽出したシーンまたは番組のリストを表示する際に実行する処理フローについて説明する。
【００９４】
この処理フローでは、図２６に示すように、表示制御部５０２は、まず、ステップＳ４１において、抽出部５０５により抽出された１以上のシーン（または番組）のリストを表示する操作が入力制御部５０１により検出されたか否かを判断する。このステップＳ４１の処理は、リストを表示する操作が検出されたと判断されるまで繰り返される。ステップＳ４１において、リストを表示する操作が検出されたと判断された場合、ステップＳ４２に処理が進む。
【００９５】
ステップＳ４２において、表示制御部５０２は、抽出部５０５により抽出された１以上のシーン（または番組）のリストをディスプレイ１０４ａに表示する。そして、処理が戻る。
【００９６】
次に、図２７を参照して、実施形態による情報端末１００が、ユーザの操作によって指定されたシーンまたは番組を自動的に削除される対象から除外する旨の指示を出力する際に実行する処理フローについて説明する。
【００９７】
この処理フローでは、図２７に示すように、通信制御部５０３は、まず、ステップＳ５１において、抽出部５０５により抽出された１以上のシーン（または番組）のうちの１つを自動的に削除される対象から除外する操作が入力制御部５０１により検出されたか否かを判断する。
【００９８】
ステップＳ５１において、自動的に削除される対象から除外する操作が検出されたと判断された場合には、ステップＳ５２に処理が進む。そして、ステップＳ５２において、通信制御部５０３は、この操作の対象となったシーン（または番組）を自動的に削除される対象から除外する旨の指示をテレビジョン装置２００に出力する。テレビジョン装置２００は、このような指示を受信した場合、指示において指定されたシーンに対応するデータを、ストレージ２１５のうちタイムシフトマシン機能によって使用される領域とは別の領域に退避するいわゆるダビングなどを行うことにより、指定されたシーンを、自動的に削除される対象から除外する。そして、処理が戻る。
【００９９】
一方、ステップＳ５１において、自動的に削除される対象から除外する操作が検出されなかったと判断された場合には、ステップＳ５３に処理が進む。そして、ステップＳ５３において、通信制御部５０３は、抽出部５０５により抽出された１以上のシーン（または番組）のうちの１つを自動的に削除される対象に設定する操作が入力制御部５０１により検出されたか否かを判断する。
【０１００】
ステップＳ５３において、自動的に削除される対象に設定する操作が検出されなかったと判断された場合には、ステップＳ５１に処理が戻る。一方、ステップＳ５３において、自動的に削除される対象に設定する操作が検出されたと判断された場合には、ステップＳ５４に処理が進む。そして、ステップＳ５４において、通信制御部５０３は、この操作の対象となったシーン（または番組）を自動的に削除される対象に設定する旨の指示をテレビジョン装置２００に出力する。そして、処理が戻る。
【０１０１】
次に、図２８を参照して、実施形態による情報端末１００が、視聴済のシーンまたは番組を自動的に削除される対象に設定する旨の指示を出力する際に実行する処理フローについて説明する。
【０１０２】
この処理フローでは、図２８に示すように、通信制御部５０３は、まず、ステップＳ６１において、抽出部５０５により抽出された１以上のシーン（または番組）のリストに含まれるシーンが視聴済になったか否かを判断する。このステップＳ６１の処理は、リストに含まれるシーンが視聴済になったと判断されるまで繰り返される。ステップＳ６１において、リストに含まれるシーンが視聴済になったと判断された場合、ステップＳ６２に処理が進む。
【０１０３】
ステップＳ６２において、通信制御部５０３は、視聴済になったシーン（または番組）を自動的に削除される対象に設定する旨の指示をテレビジョン装置２００に出力する。そして、処理が戻る。
【０１０４】
次に、図２９を参照して、実施形態による情報端末１００に入力された抽出条件が削除された場合に情報端末１００が実行する処理フローについて説明する。
【０１０５】
この処理フローでは、図２９に示すように、通信制御部５０３は、まず、ステップＳ７１において、抽出条件管理部５０４により管理されている抽出条件を削除する操作が入力制御部５０１により検出されたか否かを判断する。このステップＳ７１の処理は、抽出条件を削除する操作が検出されたと判断されるまで繰り返される。ステップＳ７１において、抽出条件を削除する操作が検出されたと判断された場合、ステップＳ７２に処理が進む。
【０１０６】
ステップＳ７２において、通信制御部５０３は、削除された抽出条件に対応するシーン（または番組）を自動的に削除される対象に設定する旨の指示をテレビジョン装置２００に出力する。すなわち、通信制御部５０３は、以前の処理によって自動的に削除される対象から除外されたシーンのうち、削除された抽出条件である商品、サービス、または地域が紹介されたシーンを、自動的に削除される対象に戻す旨の指示をテレビジョン装置２００に出力する。そして、処理が戻る。
【０１０７】
以上説明したように、実施形態では、制御部１０７は、情報処理プログラム５００を実行することにより、次のような処理を行うように構成されている。すなわち、制御部１０７は、録画されてから一定期間後に自動的に削除される番組に含まれる複数のシーンに関する情報であって、各シーンで紹介される商品、サービス、または地域の情報を含む番組情報を受信し、ユーザによる商品、サービス、または地域を指定するための操作を受け付け、受信した番組情報を用いて、録画された番組のうち、ユーザの操作により指定された商品、サービス、または地域が紹介された１以上のシーンを、自動的に削除される対象から除外する旨の指示を出力するように構成されている。これにより、商品、サービス、または地域を指定する操作を行うだけで、ユーザにとって有用な情報が紹介されたシーンが、ユーザが気づく前に自動的に削除されるのを回避することができる。
【０１０８】
なお、実施形態による情報処理プログラム５００は、インストール可能な形式または実行可能な形式のコンピュータプログラムプロダクトとして提供される。すなわち、情報処理プログラム５００は、ＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）などの、非一時的で、コンピュータで読み取り可能な記録媒体を有するコンピュータプログラムプロダクトに含まれた状態で提供される。
【０１０９】
情報処理プログラム５００は、インターネットなどのネットワークに接続されたコンピュータに格納された状態で、ネットワーク経由で提供または配布されてもよい。また、情報処理プログラム５００は、ＲＯＭなどに予め組み込まれた状態で提供されてもよい。
【０１１０】
なお、実施形態では、情報処理プログラム５００を情報端末１００にインストールすることにより、ユーザが指定した商品、サービス、または地域が紹介されたシーンを抽出する処理を情報端末１００に実行させている。しかしながら、実施形態では、情報処理プログラム５００と同様の機能を有するプログラムをテレビジョン装置２００にインストールし、テレビジョン装置２００に上記の抽出処理を実行させてもよい。また、実施形態では、複数の番組を同時に自動で録画し、録画した番組を一定期間で削除する録画装置であれば、テレビジョン装置２００以外の録画装置を用いてもよい。
【０１１１】
また、実施形態では、録画された番組が、録画されてから経過した時間が一定期間を超えた場合に自動的に削除される構成が用いられている。しかしながら、実施形態では、録画された番組が所定の第１基準に従い自動的に削除される構成であれば、録画された番組が、録画されてから一定期間が経過したか否か以外の基準に従い自動的に削除される構成が用いられてもよい。たとえば、実施形態では、録画された番組を記憶するためのストレージの容量がしきい値以下になった場合に、録画された番組が古いものから順に削除される構成が用いられてもよい。また、実施形態では、録画された番組のうち、録画されてから一定期間が経過し、かつユーザが入力した嗜好情報に基づく評価値（または番組そのものに対する評価値）が一定値以下の番組が自動的に削除される構成が用いられてもよい。
【０１１２】
さらに、上記では、放送番組を自動的に録画し、録画した放送番組を所定の基準に従い自動的に削除する録画装置（テレビジョン装置）に指示を出力する電子機器（情報端末）に実施形態の技術を適用する例について説明した。しかしながら、実施形態の技術は、ＶｏＤ（ビデオオンデマンド）コンテンツを記録し、記録したＶｏＤコンテンツを所定の基準に従い自動的に削除する記録装置に指示を出力する電子機器にも適用可能である。
【０１１３】
以上、本発明の実施形態および変形例を説明したが、上記実施形態および変形例はあくまで一例であって、発明の範囲を限定することは意図していない。上記実施形態および変形例は、様々な形態で実施されることが可能であり、発明の要旨を逸脱しない範囲で、種々の省略、置き換え、変更を行うことができる。上記実施形態および変形例は、発明の範囲や要旨に含まれるとともに、特許請求の範囲に記載された発明とその均等の範囲に含まれる。
【符号の説明】
【０１１４】
１０４  表示部
１０７  制御部（プロセッサ）
１００  情報端末（電子機器）
２００  テレビジョン装置（録画装置）
５００  情報処理プログラム
【図１】
2016063432.tif 000003
【図２】
2016063432.tif 000004
【図３】
2016063432.tif 000005
【図４】
2016063432.tif 000006
【図５】
2016063432.tif 000007
【図６】
2016063432.tif 000008
【図７】
2016063432.tif 000009
【図８Ａ】
2016063432.tif 000010
【図８Ｂ】
2016063432.tif 000011
【図９】
2016063432.tif 000012
【図１０】
2016063432.tif 000013
【図１１】
2016063432.tif 000014
【図１２】
2016063432.tif 000015
【図１３】
2016063432.tif 000016
【図１４】
2016063432.tif 000017
【図１５】
2016063432.tif 000018
【図１６】
2016063432.tif 000019
【図１７】
2016063432.tif 000020
【図１８】
2016063432.tif 000021
【図１９】
2016063432.tif 000022
【図２０】
2016063432.tif 000023
【図２１】
2016063432.tif 000024
【図２２】
2016063432.tif 000025
【図２３】
2016063432.tif 000026
【図２４】
2016063432.tif 000027
【図２５】
2016063432.tif 000028
【図２６】
2016063432.tif 000029
【図２７】
2016063432.tif 000030
【図２８】
2016063432.tif 000031
【図２９】
2016063432.tif 000032